(57)【特許請求の範囲】
【請求項１】
ファクシミリ装置機能を備えるとともに、インターネットに接続し、電子メールを用いて画情報をやりとりする機能を備えたネットワークファクシミリ装置において、
画情報を蓄積する画像蓄積手段と、
送信原稿を読み取って得た画像データを所定の蓄積符号化方式で符号化圧縮して上記画像蓄積手段に蓄積する第１の符号化手段と、
上記画像蓄積手段に蓄積された画情報を読み出して元の画像データへ変換する復号化手段と、
上記復号化手段が作成した画像データを、所定の電子メール符号化方式で符号化圧縮する第２の符号化手段と、
上記第２の符号化手段が画情報を作成する際に得たライン数およびデータ量情報に基づいて、電子メールの本文情報にセットするデータのヘッダ情報を作成するヘッダ情報作成手段を備えたことを特徴とするネットワークファクシミリ装置。
【請求項２】
ファクシミリ装置機能を備えるとともに、インターネットに接続し、電子メールを用いて画情報をやりとりする機能を備えたネットワークファクシミリ装置において、
画情報を蓄積する画像蓄積手段と、
送信原稿を読み取って得た画像データを所定の蓄積符号化方式で符号化圧縮して上記画像蓄積手段に蓄積する第１の符号化手段と、
上記画像蓄積手段に蓄積された画情報を読み出して元の画像データへ変換する復号化手段と、
上記復号化手段が作成した画像データを、所定の電子メール符号化方式で符号化圧縮する第２の符号化手段と、
上記復号化手段が復号化処理した際に得たライン数、および、上記第２の符号化手段が画情報を作成する際に得たデータ量情報に基づいて、電子メールの本文情報にセットするデータのヘッダ情報を作成するヘッダ情報作成手段を備えたことを特徴とするネットワークファクシミリ装置。
【請求項３】
前記復号化手段は、前記ライン数を記憶し、前記ヘッダ情報作成手段は、上記復号化手段が記憶しているライン数を読み出すことを特徴とする請求項２記載のネットワークファクシミリ装置。
【請求項４】
ファクシミリ装置機能を備えるとともに、インターネットに接続し、電子メールを用いて画情報をやりとりする機能を備えたネットワークファクシミリ装置において、
画情報を蓄積する画像蓄積手段と、
送信原稿を読み取って得た画像データを所定の蓄積符号化方式で符号化圧縮して上記画像蓄積手段に蓄積する第１の符号化手段と、
上記画像蓄積手段に蓄積された画情報を読み出して元の画像データへ変換する復号化手段と、
上記復号化手段が作成した画像データを、所定の電子メール符号化方式で符号化圧縮する第２の符号化手段と、
上記復号化手段が復号化処理した際に得たライン数、および、上記第２の符号化手段が画情報を作成する際に得たデータ量情報を記憶する参照情報記憶手段と、
上記参照情報記憶手段に記憶されたライン数およびデータ量情報に基づいて、電子メールの本文情報にセットするデータのヘッダ情報を作成するヘッダ情報作成手段を備えたことを特徴とするネットワークファクシミリ装置。
【請求項５】
前記復号化手段が作成した元の画像データは、前記第２の符号化手段へ直接出力されることを特徴とする請求項１または請求項２または請求項３または請求項４記載のネットワークファクシミリ装置。
【請求項６】
前記参照情報記憶手段は、不揮発性記憶装置からなることを特徴とする請求項４記載のネットワークファクシミリ装置。
【請求項７】
前記第２の符号化手段は、作成する画情報のデータ量のみを判定する符号非排出処理モードを備え、第１回の符号化処理は符号非排出処理モードで画情報を作成してデータ量情報を得て前記ヘッダ情報作成手段へ出力し、第２回の符号化処理で画情報を作成して出力することを特徴とする請求項１または請求項２記載のネットワークファクシミリ装置。
【請求項８】
ファクシミリ装置機能を備えるとともに、インターネットに接続し、電子メールを用いて画情報をやりとりする機能を備えたネットワークファクシミリ装置において、
画情報を蓄積する画像蓄積手段と、
送信原稿を読み取って得た画像データをＪＢＩＧで符号化圧縮して上記画像蓄積手段に蓄積する第１の符号化手段と、
上記画像蓄積手段に蓄積された画情報を読み出して元の画像データへ変換する復号化手段と、
上記復号化手段が作成した画像データを、所定の電子メール符号化方式で符号化圧縮する第２の符号化手段と、
上記画像蓄積装置に蓄積された画情報の所定領域に記憶されたライン数情報と、上記第２の符号化手段が画情報を作成する際に得たデータ量情報に基づいて、電子メールの本文情報にセットするデータのヘッダ情報を作成するヘッダ情報作成手段を備えたことを特徴とするネットワークファクシミリ装置。
【請求項９】
ファクシミリ装置機能を備えるとともに、インターネットに接続し、電子メールを用いて画情報をやりとりする機能を備えたネットワークファクシミリ装置の制御方法において、
送信原稿を読み取って得た画像データを所定の蓄積符号化方式で符号化圧縮して一旦蓄積し、
その蓄積した画情報を読み出して元の画像データへ変換し、その変換して得た画像データを、所定の電子メール符号化方式で符号化圧縮するとともに、その画情報を作成する際に得たライン数およびデータ量情報に基づいて、電子メールの本文情報にセットするデータのヘッダ情報を作成するようにしたことを特徴とするネットワークファクシミリ装置の制御方法。
【請求項１０】
ファクシミリ装置機能を備えるとともに、インターネットに接続し、電子メールを用いて画情報をやりとりする機能を備えたネットワークファクシミリ装置の制御方法において、
送信原稿を読み取って得た画像データを所定の蓄積符号化方式で符号化圧縮して一旦蓄積し、
その蓄積した画情報について、所定の電子メール符号化方式への符号化方式の変換処理を２回行うとともに、１回目のその変換処理の際には、画情報データを出力せずにその画情報のライン数およびデータ量情報のみを得て、そのライン数およびデータ量情報に基づいて電子メールの本文情報にセットするデータのヘッダ情報を作成し、２回目のその変換処理の際に、画情報データを出力するようにしたことを特徴とするネットワークファクシミリ装置の制御方法。
【請求項１１】
ファクシミリ装置機能を備えるとともに、インターネットに接続し、電子メールを用いて画情報をやりとりする機能を備えたネットワークファクシミリ装置の制御方法において、
送信原稿を読み取って得た画像データをＪＢＩＧで符号化圧縮して一旦蓄積し、
その蓄積した画情報を読み出して元の画像データへ変換し、その変換して得た画像データを、所定の電子メール符号化方式で符号化圧縮するとともに、上記蓄積された画情報の所定領域に記憶されたライン数およびその画情報を作成する際に得たデータ量情報に基づいて、電子メールの本文情報にセットするデータのヘッダ情報を作成するようにしたことを特徴とするネットワークファクシミリ装置の制御方法。
【発明の詳細な説明】
【０００１】
【発明の属する技術分野】
本発明は、ファクシミリ装置機能を備えるとともに、インターネットに接続し、電子メールを用いて画情報をやりとりする機能を備えたネットワークファクシミリ装置およびその制御方法に関する。
【０００２】
【従来の技術】
近年、ファクシミリ装置機能を備えるとともに、インターネットに接続し、電子メールを用いて画情報をやりとりする機能を備えたネットワークファクシミリ装置が実用されている。また、このようなネットワークファクシミリ装置において、電子メールを用いて画情報を通信するための電子メール通信機能に関する技術勧告は、ＩＴＵ−Ｔ勧告Ｔ．３７が適用される。
【０００３】
一方、インターネットの世界でも、インターネットを利用してファクシミリ通信を行おうとする試みが、ＩＴＵ−Ｔ勧告Ｔ．３７，Ｔ．３８以前からなされている。
【０００４】
例えば、インターネット上でやりとりする電子メールを用いて、ファクシミリ画情報を通信する電子メール型インターネットファクシミリ通信システムについては、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００５】
また、勧告Ｔ．３７とＲＦＣ２３０５（シンプルモード・ファクシミリ）では、使用する電子メールの形式などが共通化されており、勧告Ｔ．３７に従うネットワークファクシミリ装置と、ＲＦＣ２３０５に準拠したソフトウェアを実装したワークステーション装置、パーソナルコンピュータ装置、あるいは、ネットワークファクシミリ装置との間で、相互にファクシミリ画情報をやりとりすることができる。
【０００６】
これらの勧告Ｔ．３７またはＲＦＣ２３０５によれば、ファクシミリ画情報を運ぶ電子メールは、基本的には、マルチパートＭＩＭＥ形式のものが適用され、その本文情報を構成する１つのＭＩＭＥパート（バイナリパート）に、ファクシミリ画情報が配置される。
【０００７】
また、ファクシミリ画情報を電子メールの本文情報に格納するとき、まず、ファクシミリ画情報は、ＭＨ符号化方式で画像データを符号化圧縮して作成し、そのファクシミリ画情報は、一旦ＴＩＦＦ−Ｆという画像フォーマットに変換した後に、可読情報であるＭＩＭＥ情報に変換される。
【０００８】
ここで、このＴＩＦＦ−Ｆフォーマットでは、複数ページの画像データを１つのデータファイルに格納することができるため、ページ単位に複数ページからなるファクシミリ画情報に好適な画像フォーマットである。
【０００９】
【発明が解決しようとする課題】
さて、ＴＩＦＦ−Ｆフォーマットでは、上述したように複数ページの画像データを１つのデータファイルに格納するために、各ページの画像データの先頭に、対応ページのデータサイズ、ライン数、および、次のページのヘッダ情報へのオフセット値などを含めたヘッダ情報（図示略）が配置される。
【００１０】
また、このヘッダ情報を作成するには、対応ページの画像データについて、データサイズおよびライン数を知る必要がある。すなわち、各ページの画像データの先頭に配置されるヘッダ情報は、対応ページの画像データについてのデータサイズおよびライン数を知るまで、作成することができない。
【００１１】
したがって、従来、１ページ分の画像データについてＭＨ符号化し、それによって得られた画情報データを保存し、その画情報データのデータサイズ、および、元の画像データのライン数に対応してヘッダ情報を作成し、当該ページについてのＴＩＦＦ−Ｆフォーマットデータを作成するようにしていた。
【００１２】
そのために、ファクシミリ画情報を運ぶ電子メールを作成する際に、時間がかかるという事態が生じていた。
【００１３】
本発明は、かかる実情に鑑みてなされたものであり、ファクシミリ画情報を運ぶ電子メールを作成する際の時間を短縮することのできるネットワークファクシミリ装置およびその制御方法を提供することを目的としている。
【００１４】
【課題を解決するための手段】
本発明は、ファクシミリ装置機能を備えるとともに、インターネットに接続し、電子メールを用いて画情報をやりとりする機能を備えたネットワークファクシミリ装置において、画情報を蓄積する画像蓄積手段と、送信原稿を読み取って得た画像データを所定の蓄積符号化方式で符号化圧縮して上記画像蓄積手段に蓄積する第１の符号化手段と、上記画像蓄積手段に蓄積された画情報を読み出して元の画像データへ変換する復号化手段と、上記復号化手段が作成した画像データを、所定の電子メール符号化方式で符号化圧縮する第２の符号化手段と、上記第２の符号化手段が画情報を作成する際に得たライン数およびデータ量情報に基づいて、電子メールの本文情報にセットするデータのヘッダ情報を作成するヘッダ情報作成手段を備えたものである。
【００１５】
また、ファクシミリ装置機能を備えるとともに、インターネットに接続し、電子メールを用いて画情報をやりとりする機能を備えたネットワークファクシミリ装置において、画情報を蓄積する画像蓄積手段と、送信原稿を読み取って得た画像データを所定の蓄積符号化方式で符号化圧縮して上記画像蓄積手段に蓄積する第１の符号化手段と、上記画像蓄積手段に蓄積された画情報を読み出して元の画像データへ変換する復号化手段と、上記復号化手段が作成した画像データを、所定の電子メール符号化方式で符号化圧縮する第２の符号化手段と、上記復号化手段が復号化処理した際に得たライン数、および、上記第２の符号化手段が画情報を作成する際に得たデータ量情報に基づいて、電子メールの本文情報にセットするデータのヘッダ情報を作成するヘッダ情報作成手段を備えたものである。また、前記復号化手段は、前記ライン数を記憶し、前記ヘッダ情報作成手段は、上記復号化手段が記憶しているライン数を読み出す。
【００１６】
また、ファクシミリ装置機能を備えるとともに、インターネットに接続し、電子メールを用いて画情報をやりとりする機能を備えたネットワークファクシミリ装置において、画情報を蓄積する画像蓄積手段と、送信原稿を読み取って得た画像データを所定の蓄積符号化方式で符号化圧縮して上記画像蓄積手段に蓄積する第１の符号化手段と、上記画像蓄積手段に蓄積された画情報を読み出して元の画像データへ変換する復号化手段と、上記復号化手段が作成した画像データを、所定の電子メール符号化方式で符号化圧縮する第２の符号化手段と、上記復号化手段が復号化処理した際に得たライン数、および、上記第２の符号化手段が画情報を作成する際に得たデータ量情報を記憶する参照情報記憶手段と、上記参照情報記憶手段に記憶されたライン数およびデータ量情報に基づいて、電子メールの本文情報にセットするデータのヘッダ情報を作成するヘッダ情報作成手段を備えたものである。また、前記復号化手段が作成した元の画像データは、前記第２の符号化手段へ直接出力される。また、前記第２の符号化手段は、作成する画情報のデータ量のみを判定する符号非排出処理モードを備え、第１回の符号化処理は符号非排出処理モードで画情報を作成してデータ量情報を得て前記ヘッダ情報作成手段へ出力し、第２回の符号化処理で画情報を作成して出力する。また、前記参照情報記憶手段は、不揮発性記憶装置からなる。
【００１７】
また、ファクシミリ装置機能を備えるとともに、インターネットに接続し、電子メールを用いて画情報をやりとりする機能を備えたネットワークファクシミリ装置において、画情報を蓄積する画像蓄積手段と、送信原稿を読み取って得た画像データをＪＢＩＧで符号化圧縮して上記画像蓄積手段に蓄積する第１の符号化手段と、上記画像蓄積手段に蓄積された画情報を読み出して元の画像データへ変換する復号化手段と、上記復号化手段が作成した画像データを所定の電子メール符号化方式で符号化圧縮する第２の符号化手段と、上記画像蓄積装置に蓄積された画情報の所定領域に記憶されたライン数情報と、上記第２の符号化手段が画情報を作成する際に得たデータ量情報に基づいて、電子メールの本文情報にセットするデータのヘッダ情報を作成するヘッダ情報作成手段を備えたものである。
【００１８】
また、ファクシミリ装置機能を備えるとともに、インターネットに接続し、電子メールを用いて画情報をやりとりする機能を備えたネットワークファクシミリ装置の制御方法において、送信原稿を読み取って得た画像データを所定の蓄積符号化方式で符号化圧縮して一旦蓄積し、その蓄積した画情報を読み出して元の画像データへ変換し、その変換して得た画像データを、所定の電子メール符号化方式で符号化圧縮するとともに、その画情報を作成する際に得たライン数およびデータ量情報に基づいて、電子メールの本文情報にセットするデータのヘッダ情報を作成するようにしたものである。
【００１９】
また、ファクシミリ装置機能を備えるとともに、インターネットに接続し、電子メールを用いて画情報をやりとりする機能を備えたネットワークファクシミリ装置の制御方法において、送信原稿を読み取って得た画像データを所定の蓄積符号化方式で符号化圧縮して一旦蓄積し、その蓄積した画情報について、所定の電子メール符号化方式への符号化方式の変換処理を２回行うとともに、１回目のその変換処理の際には、画情報データを出力せずにその画情報のライン数およびデータ量情報のみを得て、そのライン数およびデータ量情報に基づいて電子メールの本文情報にセットするデータのヘッダ情報を作成し、２回目のその変換処理の際に、画情報データを出力するようにしたものである。
【００２０】
また、ファクシミリ装置機能を備えるとともに、インターネットに接続し、電子メールを用いて画情報をやりとりする機能を備えたネットワークファクシミリ装置の制御方法において、送信原稿を読み取って得た画像データをＪＢＩＧで符号化圧縮して一旦蓄積し、その蓄積した画情報を読み出して元の画像データへ変換し、その変換して得た画像データを、所定の電子メール符号化方式で符号化圧縮するとともに、上記蓄積された画情報の所定領域に記憶されたライン数およびその画情報を作成する際に得たデータ量情報に基づいて、電子メールの本文情報にセットするデータのヘッダ情報を作成するようにしたものである。
【００２１】
【発明の実施の形態】
以下、添付図面を参照しながら、本発明の実施の形態を詳細に説明する。
【００２２】
図１は、本発明の一実施例にかかるネットワークシステムを示している。
【００２３】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。
【００２４】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００２５】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２６】
また、ネットワークファクシミリ装置ＦＸは、画情報や各種レポートなどを電子メールとしてやりとりするための電子メール処理機能（勧告Ｔ．３７に準拠した機能）、および、アナログ公衆網ＰＳＴＮに接続し、この公衆網を伝送路として用いてグループ３ファクシミリ伝送手順による画情報伝送を行う伝送機能を備えている。
【００２７】
図２は、ネットワークファクシミリ装置ＦＸの構成例を示している。
【００２８】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２９】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００３０】
符号化部８は、スキャナ５で読み取って得た画像データを所定の蓄積用符号化方式で符号化圧縮するものであり、符号化部９は、電子メールに配置する際の画像データの符号化方式であるＭＨ符号化方式で画像データを符号化圧縮するものであり、復号化部１０は、複数の符号化方式で符号化圧縮されている画情報を元の画信号に復号化できる機能を備えたものであり、画像蓄積装置１１は、符号化圧縮された状態の画情報を多数記憶するためのものである。
【００３１】
グループ３ファクシミリモデム１２は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３２】
網制御装置１３は、このネットワークファクシミリ装置ＦＸをアナログ公衆網公衆網ＰＳＴＮに接続するためのものであり、自動発着信機能を備えている。
【００３３】
ローカルエリアネットワークインターフェース回路１４は、このネットワークファクシミリ装置ＦＸをローカルエリアネットワークＬＡＮに接続するためのものであり、ローカルエリアネットワーク伝送制御部１５は、ローカルエリアネットワークＬＡＮを介して、他のデータ端末装置との間で種々のデータをやりとりするための各種所定のプロトコルスイートの通信制御処理を実行するためのものである。
【００３４】
これらの、システム制御部１、システムメモリ２、パラメータメモリ３、時計回路４、スキャナ５、プロッタ６、操作表示部７、符号化部８，９、復号化部１０、画像蓄積装置１１、グループ３ファクシミリモデム１２、網制御装置１３、および、ローカルエリアネットワーク伝送制御部１５は、内部バス１６に接続されており、これらの各要素間でのデータのやりとりは、主としてこの内部バス１６を介して行われている。
【００３５】
また、網制御装置１３とグループ３ファクシミリモデム１２との間のデータのやりとりは、直接行なわれている。
【００３６】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３７】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３８】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３９】
そして、ネットワークファクシミリ装置ＦＸは、読み取った原稿画像を公衆網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定されたアナログ公衆網ＰＳＴＮのグループ３ファクシミリ装置へ転送する転送サービス機能等を備えている。
【００４０】
また、自端末宛に受信した電子メールについては、本文情報に配置される画情報を取り出して、記録出力するようにしている。
【００４１】
さて、上述したように、ファクシミリ画情報を運ぶ電子メールの本文情報には、直接ファクシミリ画情報をＭＩＭＥ変換したものが配置されるのではなく、ＴＩＦＦ−Ｆフォーマットの画像データをＭＩＭＥ変換したものが配置される。
【００４２】
図３に、ＴＩＦＦ−Ｆフォーマットの一例を示す。この場合、同図における画像データは、ＭＨ符号化されたファクシミリ画情報である。
【００４３】
上述したように、このＴＩＦＦ−Ｆフォーマットでは、複数ページの画像データを１つのデータファイルに格納することができ、各ページの画像データの先頭に、対応ページのデータサイズ、ライン数、および、次のページのヘッダ情報へのオフセット値などを含めたヘッダ情報が配置される。
【００４４】
図４は、電子メールを用いて画情報を送信する際の処理の一例を示す。この場合、スキャナ５にセットされた送信原稿画像を読み取って送信している。
【００４５】
まず、スキャナ５により原稿画像を読み込み（処理１０１）、読み取って得た画像データを順次符号化部８に転送して、符号化部８で符号化圧縮し、画像蓄積装置１１に順次蓄積する（処理１０２）。また、処理１０２では、ＭＭＲ符号化方式など、符号化圧縮率が良好な符号化方式を適用して、画像データを符号化する。この処理１０１，１０２を、１ページ分の原稿処理が終了するまで行う（判断１０３のＮＯループ）。
【００４６】
また、１ページ分の原稿画像の読み取り及び蓄積が終了し、判断１０３の結果がＹＥＳになると、全ての原稿の読み取りが終了したか否かを調べ（判断１０４）、判断１０４の結果がＹＥＳになるときには、処理１０１へ戻り、次の送信原稿の読み取り動作を行う。
【００４７】
全ての送信原稿の読み取りおよび蓄積が終了し、判断１０４の結果がＹＥＳになると、ページ順序に、蓄積した１ページ分の画情報を複号化部１０で元の画像データに復号化し（処理１０５）、それによって得た１ページ分の画像データを符号化部９でＭＨ符号化し、それによって得たファクシミリ画情報を画像蓄積装置１１に蓄積する（処理１０６）。
【００４８】
ここで、処理１０６の符号化処理時に、符号化した画像データのライン数と、作成されたファクシミリ画情報のデータサイズを取得し、そのライン数とデータサイズに基づいて、そのときに処理したページについて、ＴＩＦＦ−Ｆフォーマットのヘッダ情報を作成し（処理１０７）、ＴＩＦＦ−Ｆフォーマットのヘッダ情報と符号データ（画像データ）をＭＩＭＥ変換して、電子メールに配置する本文情報の一部を作成し（処理１０８）、電子メールの本文情報として、メールサーバ装置ＳＭに送信し（処理１０９）、１ページ分の送信を終了するまで待つ（判断１１０のＮＯループ）。
【００４９】
１ページ分の送信が終了して、判断１１０の結果がＹＥＳになると、全てのページの画像データの送信を終了したかどうかを調べ（判断１１１）、判断１１１の結果がＮＯになるときには、処理１０５へ戻り、次のページの画像データの送信動作を行う。また、判断１１１の結果がＹＥＳになるときには、この画情報送信動作を終了する。
【００５０】
ここで、ネットワークファクシミリ装置ＦＸは、処理１０１に先立って、または、処理１０１〜１０８の間の適宜なタイミングで、メールサーバ装置ＳＭとので電子メールの送信のための接続を確立し、処理１０８の終了までの間に、必要なヘッダ情報を送信しておく。そして、判断１１１の結果がＹＥＳになり、電子メールの本文情報の送信を完了すると、ネットワークファクシミリ装置ＦＸは、メールサーバ装置ＳＭとの間に確立される電子メール送信のための接続を切断する。
【００５１】
なお、ネットワークファクシミリ装置ＦＸとメールサーバ装置ＳＭとの間に確立される電子メール送信のための接続は、基本的に、タイムアウトして切断されるおそれがないので、電子メール送信のための接続を処理１０１に先立って確立しておくことが可能である。
【００５２】
このようにして、本実施例では、電子メールの本文情報を送信する際、本文情報を構成するＴＩＦＦ−Ｆフォーマットの画像データのヘッダと画像データを連続して送信することができるので、リソース活用の上で、効率よく画情報送信を行うことができる。
【００５３】
また、送信する画像データを蓄積する必要があるのは、１ページ分のみであり、画像蓄積装置１１の容量を無駄に消費しないので、装置に必要なコストを低減することができる。
【００５４】
図５は、電子メールを用いて画情報を送信する際の処理の他の例を示す。この場合、スキャナ５にセットされた送信原稿画像を読み取って送信している。
【００５５】
まず、スキャナ５により原稿画像を読み込み（処理２０１）、読み取って得た画像データを順次符号化部８に転送して、符号化部８で符号化圧縮し、画像蓄積装置１１に順次蓄積する（処理２０２）。また、処理２０２では、ＭＭＲ符号化方式など、符号化圧縮率が良好な符号化方式を適用して、画像データを符号化する。この処理２０１，２０２を、１ページ分の原稿処理が終了するまで行う（判断２０３のＮＯループ）。
【００５６】
また、１ページ分の原稿画像の読み取り及び蓄積が終了し、判断２０３の結果がＹＥＳになると、全ての原稿の読み取りが終了したか否かを調べ（判断２０４）、判断２０４の結果がＹＥＳになるときには、処理２０１へ戻り、次の送信原稿の読み取り動作を行う。
【００５７】
全ての送信原稿の読み取りおよび蓄積が終了し、判断２０４の結果がＹＥＳになると、ページ順序に、蓄積した１ページ分の画情報を複号化部１０で元の画像データに復号化し（処理２０５）、それによって得た１ページ分の画像データを符号化部９でＭＨ符号化し、符号化した画像データのライン数と、作成されたファクシミリ画情報のデータサイズを取得して記憶する（処理２０６）。
【００５８】
次いで、処理２０６で記憶したライン数とデータサイズに基づいて、そのときのページについて、ＴＩＦＦ−Ｆフォーマットのヘッダ情報を作成する（処理２０７）。
【００５９】
次に、再度、同一ページの画情報を複号化部１０で元の画像データに復号化し（処理２０８）、それによって得た１ページ分の画像データを符号化部９でＭＨ符号化し、それによって得たファクシミリ画情報を画像蓄積装置１１に蓄積する（処理２０９）。
【００６０】
そして、処理２０７で作成したＴＩＦＦ−Ｆフォーマットのヘッダ情報と、処理２０９で蓄積した符号データ（画像データ）をＭＩＭＥ変換して、電子メールに配置する本文情報の一部を作成し（処理２１０）、電子メールの本文情報として、メールサーバ装置ＳＭに送信し（処理２１１）、１ページ分の送信を終了するまで待つ（判断２１２のＮＯループ）。
【００６１】
１ページ分の送信が終了して、判断２１２の結果がＹＥＳになると、全てのページの画像データの送信を終了したかどうかを調べ（判断２１３）、判断２１３の結果がＮＯになるときには、処理２０５へ戻り、次のページの画像データの送信動作を行う。また、判断２１３の結果がＹＥＳになるときには、この画情報送信動作を終了する。
【００６２】
ここで、この場合にも、上述した実施例と同様に、ネットワークファクシミリ装置ＦＸは、処理２０１に先立って、または、処理２０１〜２１１の間の適宜なタイミングで、メールサーバ装置ＳＭとので電子メールの送信のための接続を確立し、処理２１１の終了までの間に、必要なヘッダ情報を送信しておく。そして、判断２１３の結果がＹＥＳになり、電子メールの本文情報の送信を完了すると、ネットワークファクシミリ装置ＦＸは、メールサーバ装置ＳＭとの間に確立される電子メール送信のための接続を切断する。
【００６３】
このようにして、本実施例では、電子メールの本文情報を送信する際、本文情報を構成するＴＩＦＦ−Ｆフォーマットの画像データを作成する前の段階で、一度ダミーの符号化処理を実行し、その実行結果に基づいてヘッダ情報を作成するので、２回目の符号化処理で作成された画像データ（ファクシミリ画情報）とともに、ＴＩＦＦ−Ｆフォーマットのヘッダと画像データを連続して送信することができ、その結果、リソース活用の上で、効率よく画情報送信を行うことができる。
【００６４】
図６は、電子メールを用いて画情報を送信する際の処理のさらに他の例を示す。この場合、スキャナ５にセットされた送信原稿画像を読み取って送信している。
【００６５】
まず、スキャナ５により原稿画像を読み込み（処理３０１）、読み取って得た画像データを順次符号化部８に転送して、符号化部８で符号化圧縮し、画像蓄積装置１１に順次蓄積する（処理３０２）。また、処理３０２では、ＭＭＲ符号化方式など、符号化圧縮率が良好な符号化方式を適用して、画像データを符号化する。この処理３０１，３０２を、１ページ分の原稿処理が終了するまで行う（判断３０３のＮＯループ）。
【００６６】
また、１ページ分の原稿画像の読み取り及び蓄積が終了し、判断３０３の結果がＹＥＳになると、全ての原稿の読み取りが終了したか否かを調べ（判断３０４）、判断３０４の結果がＹＥＳになるときには、処理３０１へ戻り、次の送信原稿の読み取り動作を行う。
【００６７】
全ての送信原稿の読み取りおよび蓄積が終了し、判断３０４の結果がＹＥＳになると、ページ順序に、蓄積した１ページ分の画情報を複号化部１０で元の画像データに復号化するとともに、復号化して得た画像データのライン数を記憶し（処理３０５）、それによって得た１ページ分の画像データを符号化部９でＭＨ符号化し、作成されたファクシミリ画情報のデータサイズを取得して記憶する（処理３０６）。
【００６８】
次いで、処理３０５で記憶したライン数と、処理３０６で記憶したデータサイズに基づいて、そのときのページについて、ＴＩＦＦ−Ｆフォーマットのヘッダ情報を作成する（処理３０７）。
【００６９】
次に、再度、同一ページの画情報を複号化部１０で元の画像データに復号化し（処理３０８）、それによって得た１ページ分の画像データを符号化部９でＭＨ符号化し、それによって得たファクシミリ画情報を画像蓄積装置１１に蓄積する（処理３０９）。
【００７０】
そして、処理３０７で作成したＴＩＦＦ−Ｆフォーマットのヘッダ情報と、処理３０９で蓄積した符号データ（画像データ）をＭＩＭＥ変換して、電子メールに配置する本文情報の一部を作成し（処理３１０）、電子メールの本文情報として、メールサーバ装置ＳＭに送信し（処理３１１）、１ページ分の送信を終了するまで待つ（判断３１２のＮＯループ）。
【００７１】
１ページ分の送信が終了して、判断３１２の結果がＹＥＳになると、全てのページの画像データの送信を終了したかどうかを調べ（判断３１３）、判断３１３の結果がＮＯになるときには、処理３０５へ戻り、次のページの画像データの送信動作を行う。また、判断３１３の結果がＹＥＳになるときには、この画情報送信動作を終了する。
【００７２】
ここで、この場合にも、上述した実施例と同様に、ネットワークファクシミリ装置ＦＸは、処理３０１に先立って、または、処理３０１〜３１１の間の適宜なタイミングで、メールサーバ装置ＳＭとので電子メールの送信のための接続を確立し、処理３１１の終了までの間に、必要なヘッダ情報を送信しておく。そして、判断３１３の結果がＹＥＳになり、電子メールの本文情報の送信を完了すると、ネットワークファクシミリ装置ＦＸは、メールサーバ装置ＳＭとの間に確立される電子メール送信のための接続を切断する。
【００７３】
このようにして、本実施例では、電子メールの本文情報を送信する際、本文情報を構成するＴＩＦＦ−Ｆフォーマットの画像データを作成する前の段階で、一度ダミーの符号化処理を実行し、その実行結果に基づいてヘッダ情報を作成するので、２回目の符号化処理で作成された画像データ（ファクシミリ画情報）とともに、ＴＩＦＦ−Ｆフォーマットのヘッダと画像データを連続して送信することができ、その結果、リソース活用の上で、効率よく画情報送信を行うことができる。
【００７４】
図７は、電子メールを用いて画情報を送信する際のまたさらに処理の他の例を示す。この場合、スキャナ５にセットされた送信原稿画像を読み取って送信している。
【００７５】
まず、スキャナ５により原稿画像を読み込み（処理４０１）、読み取って得た画像データを順次符号化部８に転送して、符号化部８で符号化圧縮し、画像蓄積装置１１に順次蓄積する（処理４０２）。また、処理４０２では、ＭＭＲ符号化方式など、符号化圧縮率が良好な符号化方式を適用して、画像データを符号化する。この処理４０１，４０２を、１ページ分の原稿処理が終了するまで行う（判断４０３のＮＯループ）。
【００７６】
また、１ページ分の原稿画像の読み取り及び蓄積が終了し、判断４０３の結果がＹＥＳになると、全ての原稿の読み取りが終了したか否かを調べ（判断４０４）、判断４０４の結果がＹＥＳになるときには、処理４０１へ戻り、次の送信原稿の読み取り動作を行う。
【００７７】
全ての送信原稿の読み取りおよび蓄積が終了し、判断４０４の結果がＹＥＳになると、ページ順序に、蓄積した１ページ分の画情報を複号化部１０で元の画像データに復号化するとともに（処理４０５）、そのページについて、１回目の処理であるかどうかを調べる（判断４０６）。
【００７８】
判断４０６の結果がＹＥＳになるときには、符号化部９を、符号を排出しないモードにセットし（処理４０７）、処理４０５で得られる１ページ分の画像データを符号化部９でＭＨ符号化し、符号化した画像データのライン数と、作成されたファクシミリ画情報のデータサイズを取得して記憶する（処理４０８）。
【００７９】
次いで、処理４０８で記憶したライン数とデータサイズに基づいて、そのときのページについて、ＴＩＦＦ−Ｆフォーマットのヘッダ情報を作成し（処理４０９）、処理４０５へ戻る。
【００８０】
また、そのページについて、２回目の処理を実行する場合で、判断４０６の結果がＮＯになるときには、符号化部９を符号を出力するモードにセットし（処理４１０）、処理４０５で得られる１ページ分の画像データを符号化部９でＭＨ符号化し、それによって得たファクシミリ画情報を画像蓄積装置１１に蓄積する（処理４１１）。
【００８１】
そして、処理４０９で作成したＴＩＦＦ−Ｆフォーマットのヘッダ情報と、処理４１１で蓄積した符号データ（画像データ）をＭＩＭＥ変換して、電子メールに配置する本文情報の一部を作成し（処理４１２）、電子メールの本文情報として、メールサーバ装置ＳＭに送信し（処理４１３）、１ページ分の送信を終了するまで待つ（判断４１４のＮＯループ）。
【００８２】
１ページ分の送信が終了して、判断４１４の結果がＹＥＳになると、全てのページの画像データの送信を終了したかどうかを調べ（判断４１５）、判断４１５の結果がＮＯになるときには、処理４０５へ戻り、次のページの画像データの送信動作を行う。また、判断４１５の結果がＹＥＳになるときには、この画情報送信動作を終了する。
【００８３】
ここで、この場合にも、上述した実施例と同様に、ネットワークファクシミリ装置ＦＸは、処理４０１に先立って、または、処理４０１〜４１２の間の適宜なタイミングで、メールサーバ装置ＳＭとので電子メールの送信のための接続を確立し、処理４１２の終了までの間に、必要なヘッダ情報を送信しておく。そして、判断４１５の結果がＹＥＳになり、電子メールの本文情報の送信を完了すると、ネットワークファクシミリ装置ＦＸは、メールサーバ装置ＳＭとの間に確立される電子メール送信のための接続を切断する。
【００８４】
このようにして、本実施例では、電子メールの本文情報を送信する際、本文情報を構成するＴＩＦＦ−Ｆフォーマットの画像データを作成する前の段階で、一度ダミーの符号化処理を実行し、その実行結果に基づいてヘッダ情報を作成するので、２回目の符号化処理で作成された画像データ（ファクシミリ画情報）とともに、ＴＩＦＦ−Ｆフォーマットのヘッダと画像データを連続して送信することができ、その結果、リソース活用の上で、効率よく画情報送信を行うことができる。
【００８５】
図８は、本発明の他の実施例にかかるネットワークファクシミリ装置ＦＸの構成例を示している。なお、同図において、図２と同一部分および相当する部分には、同一符号を付している。
【００８６】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００８７】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００８８】
符号化部８は、スキャナ５で読み取って得た画像データを所定の蓄積用符号化方式で符号化圧縮するものであり、符号化部９ａは、電子メールに配置する際の画像データの符号化方式であるＭＨ符号化方式で画像データを符号化圧縮するものであり、復号化部１０ａは、複数の符号化方式で符号化圧縮されている画情報を元の画信号に復号化できる機能を備えたものであり、複号化部１０ａが形成した画像データは、直接符号化部９ａへと出力されている。
【００８９】
また、画像蓄積装置１１は、符号化圧縮された状態の画情報を多数記憶するためのものである。
【００９０】
グループ３ファクシミリモデム１２は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００９１】
網制御装置１３は、このネットワークファクシミリ装置ＦＸをアナログ公衆網公衆網ＰＳＴＮに接続するためのものであり、自動発着信機能を備えている。
【００９２】
ローカルエリアネットワークインターフェース回路１４は、このネットワークファクシミリ装置ＦＸをローカルエリアネットワークＬＡＮに接続するためのものであり、ローカルエリアネットワーク伝送制御部１５は、ローカルエリアネットワークＬＡＮを介して、他のデータ端末装置との間で種々のデータをやりとりするための各種所定のプロトコルスイートの通信制御処理を実行するためのものである。
【００９３】
これらの、システム制御部１、システムメモリ２、パラメータメモリ３、時計回路４、スキャナ５、プロッタ６、操作表示部７、符号化部８，９、復号化部１０、画像蓄積装置１１、グループ３ファクシミリモデム１２、網制御装置１３、および、ローカルエリアネットワーク伝送制御部１５は、内部バス１６に接続されており、これらの各要素間でのデータのやりとりは、主としてこの内部バス１６を介して行われている。
【００９４】
また、網制御装置１３とグループ３ファクシミリモデム１２との間のデータのやりとりは、直接行なわれている。
【００９５】
さらに、本実施例では、複号化部１０ａが形成した画像データを、内部バス１６を介さずに、直接符号部９ａへ出力するので、画情報送信時において、内部バス１６を通過するデータ量を削減することができ、より高速な処理が可能となる。
【００９６】
また、画像データの符号化方式のうち、高能率の符号化方式のものとしては、ＪＢＩＧ（Ｊｏｉｎｔ  Ｂｉ−ｌｅｖｅｌ  Ｉｍａｇｅ  ｅｘｐｅｒｔｓ  Ｇｒｏｕｐ；ＩＴＵ−Ｔ勧告Ｔ．８２参照）が知られている。
【００９７】
このＪＢＩＧのデータフォーマットは、図９に示すようなものであり、基本的には、ヘッダ情報、画像データ、マーカーコード、および、ライン数からなる。したがって、符号化部８が蓄積用符号化方式としてＪＢＩＧを適用する場合、ライン数は、このＪＢＩＧのデータそのものから取得することができ、上述した実施例のように、符号化部９，９ａまたは複号化部１０，１０ａで保存する必要がなくなる。
【００９８】
また、ヘッダ情報を作成する場合、ライン数およびデータサイズ（符号量）を記憶するテーブルを図１０または図１１のように設けておけば、このテーブルを指定するアドレスをインクリメントするだけで、各ページのライン数とデータサイズを順次取得することができ、より高速な処理を実現することができる。
【００９９】
また、ヘッダ情報を作成するために必要なデータサイズ、および、ライン数を記憶するための不揮発性メモリを設けるようにすると、送信画情報を準備する際の処理と、実際に電子メールを用いて画情報を送信する際の処理が、連続して行われない場合でも、適切にヘッダ情報を作成することができることとなり、便利である。
【０１００】
なお、上述した実施例では、本発明をグループ３ファクシミリ装置機能を備えたネットワークファクシミリ装置について適用したが、グループ４ファクシミリ装置機能を備えたネットワークファクシミリ装置についても、本発明を同様にして適用することができる。
【０１０１】
また、上述した実施例では、符号化部や複号化部などの各要素をハードウェア的に備えているが、これらの対応する各要素をソフトウェア的に実現することもでき、その場合には、ワークステーション装置にインストールすることができるので、かかる場合についても、本発明を同様に適用することができる。
【０１０２】
また、上述した実施例では、ローカルエリアネットワークＬＡＮに接続され、常時、メールサーバ装置ＳＭに接続可能な場合について説明したが、例えば、ダイアルアップ接続によりインターネットに接続される場合についても、本発明を同様にして適用することができる。
【０１０３】
【発明の効果】
以上説明したように、本発明によれば、電子メールの本文情報を送信する際、本文情報を構成するＴＩＦＦ−Ｆフォーマットの画像データのヘッダと画像データを連続して送信することができるので、リソース活用の上で、効率よく画情報送信を行うことができるという効果を得る。
【０１０４】
また、送信する画像データを蓄積する必要があるのは、１ページ分のみであり、画像蓄積手段の容量を無駄に消費しないので、装置に必要なコストを低減することができるという効果も得る。
【０１０５】
また、電子メールの本文情報を送信する際、本文情報を構成するＴＩＦＦ−Ｆフォーマットの画像データを作成する前の段階で、一度ダミーの符号化処理を実行し、その実行結果に基づいてヘッダ情報を作成するので、２回目の符号化処理で作成された画像データ（ファクシミリ画情報）とともに、ＴＩＦＦ−Ｆフォーマットのヘッダと画像データを連続して送信することができ、その結果、リソース活用の上で、効率よく画情報送信を行うことができるという効果も得る。
【０１０６】
また、複号化部が形成した画像データを、内部バスを介さずに、直接符号部へ出力するので、画情報送信時において、内部バスを通過するデータ量を削減することができ、より高速な処理が可能となるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】ＴＩＦＦ−Ｆフォーマットの一例を示した概略図。
【図４】電子メールを用いて画情報を送信する際の処理の一例を示したフローチャート。
【図５】電子メールを用いて画情報を送信する際の処理の他の例を示したフローチャート。
【図６】電子メールを用いて画情報を送信する際の処理のさらに他の例を示したフローチャート。
【図７】電子メールを用いて画情報を送信する際の処理のまたさらに他の例を示したフローチャート。
【図８】本発明の他の実施例にかかるネットワークファクシミリ装置ＦＸの構成例を示したブロック図。
【図９】ＪＢＩＧのデータフォーマットの一例を示した概略図。
【図１０】ライン数を記憶するテーブルの一例を示した概略図。
【図１１】データサイズ（符号量）を記憶するテーブルの一例を示した概略図。
【符号の説明】
ＦＸ  ネットワークファクシミリ装置
【図１】
0003808671.tif 000002
【図２】
0003808671.tif 000003
【図３】
0003808671.tif 000004
【図４】
0003808671.tif 000005
【図５】
0003808671.tif 000006
【図６】
0003808671.tif 000007
【図７】
0003808671.tif 000008
【図８】
0003808671.tif 000009
【図９】
0003808671.tif 000010
【図１０】
0003808671.tif 000011
【図１１】
0003808671.tif 000012